(57)【要約】【課題】  テーブル方式の可視性とメンテナンス性の良さという長所を維持しつつ、制御温度の変更をせずにヒータの点灯間隔を長くすることで、各種規格規制への対応や定着ヒータの長寿命化をおこなうことができる画像形成装置を提供する。【解決手段】  配光分布の異なる複数のハロゲンヒータと、ハロゲンヒータの温度を検出する定着サーミスタと、定着サーミスタによる検出温度と制御温度から点灯するハロゲンヒータの選択と、点灯するハロゲンヒータの点灯間隔を決定するテーブル設け、前記テーブルからハロゲンヒータの定着制御を行う画像形成装置であって、定着制御はハロゲンヒータがオンしているときに次の点灯間隔を決めるために使用するテーブルとハロゲンヒータがオフしているときに使用するテーブルを使い分けることにより実行される。【選択図】  図４
2005055712.tif 000002
【特許請求の範囲】
【請求項１】
配光分布の異なる複数の定着ヒータと、
前記定着ヒータを駆動する駆動手段と、
前記定着ヒータの温度を検出する温度検出手段と、
前記温度検出手段による検出温度と制御温度から点灯する定着ヒータの選択と、前記点灯する定着ヒータの点灯間隔を決定するテーブルと、
前記テーブルから定着ヒータの定着制御を行う定着制御手段を有する画像形成装置において、
前記定着制御手段は、前記定着ヒータがオンしているときに次の点灯間隔を決めるために使用するテーブルとヒータがオフしているときに使用するテーブルを異なるものとすることを特徴とする画像形成装置。
【請求項２】
前記定着制御手段は、選択された定着ヒータによりヒータオン時とオフ時で異なるテーブルを参照して点灯間隔を決定する制御を行うか否かの切替を行うことを特徴とする請求項１に記載の画像形成装置。
【請求項３】
中央部に係る前記定着ヒータの中央制御温度と中央検出温度の差分、および、端部に係る前記定着ヒータの端部制御温度と端部検出温度の差分から点灯する定着ヒータを決定するテーブルを有し、
前記定着制御手段は、装置内の状態によりヒータオン時とオフ時で異なるテーブルを参照して点灯間隔を決定する制御を行うか否かの切替を行うことを特徴とする請求項１または２に記載の画像形成装置。
【請求項４】
前記定着制御手段は、装置内の状態により特定の定着ヒータのみを制御するように固定し、その状態でのみヒータオン時とオフ時で異なるテーブルを参照して点灯間隔を決定する制御を行うことを特徴とする請求項１から３の何れか１項に記載の画像形成装置。
【発明の詳細な説明】
【技術分野】
【０００１】
本発明は、画像形成装置に関するものであり、特に定着制御に係る画像形成装置に関する。
【背景技術】
【０００２】
近年、電力エネルギー消費効率の向上と操作性／利便性の向上の観点から、ウオームアップ時間が短縮された定着ヒータを有する画像形成装置が多い。ウオームアップ時間の短縮のためには、熱容量の小さく、かつ熱抵抗の小さい薄肉定着ローラと大電力のハロゲンヒータまたは、複数（２本）構成のハロゲンヒータが使用されることが多い。
【０００３】
この定着装置は、熱容量が小さくかつ熱抵抗が小さいため、環境変動や通紙する用紙のサイズ、厚さ、種類によって状態が大きく変動する。それらの変動を抑えるために複雑な制御を用いることなく、種種の外的要因を抑えて、定着装置を制御するための方式として制御温度と検出温度からテーブルを検索し、その結果から点灯させるヒータや点灯する間隔を決定させる制御方式が存在する（特許文献１参照）。
【特許文献１】特開平７−１７５３６３号公報
【発明の開示】
【発明が解決しようとする課題】
【０００４】
可視性の良いテーブル参照方式は諸条件の変化に対する高い適用能力を持ちながらメンテナンス性が良い、という特徴をもっている。
【０００５】
しかし、近年の欧州におけるフリッカーのような規格規制への対応やヒータ寿命を延ばす目的から印刷動作をしていない待機時のヒータ点灯間隔を長くする（ヒータのオフからオン、オンからオフへ変化する回数を少なくする）という要求が発生してきている。
【０００６】
ヒータのオフからオン時の温度とオンからオフ時の温度を変えてヒータ制御にヒステリシスを持たせる方式などがあるが、制御温度の細かな切替はテーブル方式が本来持っている制御の可視性の良さを損ない、複雑度が増すことが問題となる。
【０００７】
本発明では上記の問題に鑑み、テーブル方式の可視性とメンテナンス性の良さという長所を維持しつつ、制御温度の変更をせずにヒータの点灯間隔を長くすることをその目的とする。
【０００８】
また、複数あるヒータのうちどれを対象とするのかを限定してヒータの点灯間隔を長くすることをその目的とする。
【０００９】
また、モードを限定してヒータの点灯間隔を長くすることをその目的とする。
【００１０】
また、対象のヒータと制御モードを両方とも限定してヒータの点灯間隔を長くすることをその目的とする。
【課題を解決するための手段】
【００１１】
上記目的を達成するために、請求項１に係る発明では、配光分布の異なる複数の定着ヒータと、前記定着ヒータを駆動する駆動手段と、前記定着ヒータの温度を検出する温度検出手段と、前記温度検出手段による検出温度と制御温度から点灯する定着ヒータの選択と、前記点灯する定着ヒータの点灯間隔を決定するテーブルと、前記テーブルから定着ヒータの定着制御を行う定着制御手段を有する画像形成装置において、前記定着制御手段は、前記定着ヒータがオンしているときに次の点灯間隔を決めるために使用するテーブルとヒータがオフしているときに使用するテーブルを異なるものとすることを特徴とする。
【００１２】
請求項１に係る発明によれば、テーブル方式の可視性とメンテナンス性の良さという長所を維持しつつ、制御温度の変更をせずにヒータの点灯間隔を長くすることで、各種規格規制への対応や定着ヒータの長寿命化をおこなうことができる。
【００１３】
請求項２に係る発明では、請求項１に記載の画像形成装置において、前記定着制御手段は、選択された定着ヒータによりヒータオン時とオフ時で異なるテーブルを参照して点灯間隔を決定する制御を行うか否かの切替を行うことを特徴とする。
【００１４】
請求項２に係る発明によれば、複数あるヒータのうちどれを対象とするのかを限定してヒータの点灯間隔を長くすることで、対象となるヒータの寿命を延ばすことができる。
【００１５】
請求項３に係る発明では、請求項１または２に記載の画像形成装置において、中央部に係る前記定着ヒータの中央制御温度と中央検出温度の差分、および、端部に係る前記定着ヒータの端部制御温度と端部検出温度の差分から点灯する定着ヒータを決定するテーブルを有し、前記定着制御手段は、装置内の状態によりヒータオン時とオフ時で異なるテーブルを参照して点灯間隔を決定する制御を行うか否かの切替を行うことを特徴とする。
【００１６】
請求項３に係る発明によれば、モードを限定してヒータの点灯間隔を長くすることで、ヒータの長寿命化と印刷動作時の定着性の両方を成立させることができる。
【００１７】
請求項４に係る発明では、請求項１から３の何れか１項に記載の画像形成装置において、前記定着制御手段は、装置内の状態により特定の定着ヒータのみを制御するように固定し、その状態でのみヒータオン時とオフ時で異なるテーブルを参照して点灯間隔を決定する制御を行うことを特徴とする。
【００１８】
請求項４に係る発明によれば、対象のヒータと制御モードを両方とも限定してヒータの点灯間隔を長くすることで、さらなる各種規格規制への対応や定着ヒータの長寿命化をおこなうことができる。
【００１９】
上記解決手段にて、定着ヒータは図４のハロゲンヒータに相当し、温度検出手段は図４の定着サーミスタに相当する。定着サーミスタが検出したハロゲンヒータに係る検出温度と制御温度のデータを元にして可視性とメンテナンス性に優れるテーブル方式を生かし、ヒータの維持を図る。
【発明の効果】
【００２０】
本発明では、テーブル方式の可視性とメンテナンス性の良さという長所を維持しつつ、制御温度の変更をせずにヒータの点灯間隔を長くすることで、各種規格規制への対応や定着ヒータの長寿命化をおこなうことができる。
【発明を実施するための最良の形態】
【００２１】
以下、発明を実施するための最良の形態を図面を参照して説明する。
【００２２】
図１は、本実施形態に係る画像形成装置の概略レイアウトであり、帯電ローラにより帯電されたＯＰＣ（感光体）がＬＤにより露光され、潜像を現像ユニットにより現像され、転写ローラにより転写紙にトナーを転写し、定着装置により熱定着される。
【００２３】
トナーカートリッジ（現像装置）は、帯電ローラ、トナー、感光体、トナー攪拌用アジテータ等で構成されている。トナーカートリッジには、感光体に対面するマグローラ以外に、トナーを攪拌するためのアジテータ、ブレードが内蔵されており、これによりトナーが摩擦帯電される。
【００２４】
トナーカートリッジ下部には、内部のトナーの有無を検出するためのトナー検出手段（センサ）が配置されており、これにより、内部のトナーがある場合“Ｈ”、無い場合“Ｌ”を出力する。
【００２５】
レジストセンサはレジストローラ（図示無）の手前にあり、画像先端と転写紙先端との同期をとって駆動する際の転写紙の先端検知、用紙状態検出を行う。上記部品を備えた画像形成装置を搭載した複写機のレイアウトを図３に示す。図３にて「図１」と記載されている部分に前記画像形成装置を搭載する。尚、本画像形成装置を搭載することができるのは複写機に限らず、プリンタやＭＦＰなどでも良い。
【００２６】
図２は本実施形態に係る画像形成装置の制御に関する構成ブロック図であり、以下各部ロックの説明を行う。
【００２７】
読取制御板は、原稿情報を読み取るためのＣＣＤなどが該当し、そのタイミング生成が主動作であり、読み取った出力をデジタル信号としてシステム制御板に転送することを特徴とする。
【００２８】
システム制御板は、ＣＰＵ、ＲＯＭ、ＲＡＭ、不揮発ＲＡＭ、カレンダー機能チップからなり、システム全体のタイミング制御、操作部（図示無）の入出力制御、その他のアプリケーション（ＦＡＸ、プリンタ、スキャナ）部（図示無）とのＩ／Ｆや動作制御と、画情報データの画像処理（変倍、フィルタ、γ）、画像メモリを使用した画情報データの記憶／蓄積制御というシステム全体の制御部として機能することを特徴とする。
【００２９】
書込制御板は、露光のためのＬＤとその駆動部からなり、システム制御板からの画像データにより、書き込み作業を行うことを特徴とする。
【００３０】
Ｉ／Ｏ制御板は、システム全体（スキャナ部、プリンタ部）の各種センサ、アクチュエータ等の入力信号、モータ、ソレノイド、クラッチ、高圧電源等の出力信号の集約部分であり、トナーセンサ出力や各サーミスタ出力はＡＤＣに入力されており、このＩ／Ｏデータにより、システム制御部分が各種制御を実施することを特徴とする。尚、Ｉ／Ｏ制御板には給紙トレイ、手差しトレイの用紙有無情報、サイズ情報、転写紙搬送用のレジストセンサ等も含まれる。
【００３１】
操作／表示部は、各種モード設定のためのキー入力、ＬＥＤ、ＬＣＤ、７ｓｅｇ等を使用した表示部により構成されておりシステム制御板により、制御されている。
【００３２】
次に図４を用いて定着ヒータ駆動に関わるユニットに関する説明する。
【００３３】
電源制御版（ＰＳＵ）上には電源生成のための回路と定着ハロゲンヒータ駆動のための回路が配置されている。ヒータ駆動はＡＣ電源遮断用のリレーとＡＣ出力を制御するために特定周期でＯＮ／ＯＦＦをおこなうトライアック回路等で構成されている。
【００３４】
リレー、トライアックのＯＮ／ＯＦＦの処理はシステム制御板上のＣＰＵの判断により、Ｉ／Ｏ制御板のポートを介して実行される。それぞれの定着ヒータ（ハロゲンヒータ）は、それぞれの回路により独立した駆動（ＯＮ／ＯＦＦ）が可能な構成である。
【００３５】
また、定着ヒータは、１つは中央部の配光分布が大きい構成であり、他方は、端部の配光分布が大きい構成としている（中央配光が高い状態を「Ｃ」、端部配光が高い状態を「Ｅ」とし、それぞれの構成をＣ、Ｅのヒータとする）。
【００３６】
画像形成装置は長時間放置された場合、省電力状態、電源ＯＦＦにより、定着ローラ温度は室温程度になり、復帰操作や電源ＯＮで定着ヒータの点灯を行い、定着ローラの温度を上昇させる。その際、接触式サーミスタ等で温度検出をおこなう。
上記のサーミスタは、複数（２ヶ所）に設置され、通常は軸方向に中央部と端部という構成になる。
【００３７】
中央部は、小サイズ（はがき、ＨＬＴ）の転写紙でも転写紙の搬送に該当するような位置であり、端部は、大サイズ（Ａ３）のみ転写紙の搬送に該当するような位置で、ローラ軸受部の近傍にあたる。
【００３８】
薄肉ローラの場合、小サイズの転写紙の連続通紙では、中央部のサーミスタでのみ制御温度を維持するとローラ端部に転写紙が通紙されないため端部：ローラ軸受部が過昇状態となる。
【００３９】
以下に、定着ヒータ制御の説明を行う。定着ヒータは大電力を消費するのでオフからオンに切り替えるときにいきなり１００％の出力を出すと電源電圧の変動をもたらし、蛍光灯のちらつきなどを引き起こす。そのため、徐々にパワーを加えていき急激な電力の変動を緩和する制御を行っている。これをソフトスタート処理という。
【００４０】
定着ヒータはＡＣ出力であるため、瞬間的な電圧値は常に変化している。そのため、０Ｖになる瞬間を検出し（検出した信号をゼロクロス信号と呼ぶ）、０Ｖから０Ｖまでの期間（半波）ごとの出力を変えることでソフトスタート処理を実現している。図５にソフトスタート処理時の時間に関する電圧出力のグラフを示す。最終的に半波期間全てで出力したときが１００％の出力となる。
【００４１】
定着ヒータは系の遅延が大きい制御系である。定着ヒータをつけるか消すかの判断は定着ローラ上のサーミスタにより検出した温度によって行うが、定着ヒータをつけて、それにより定着ローラの温度が上昇し、サーミスタの出力値が変化し、制御ＣＰＵが値を取り込んで変化を検出するので、現在ついている定着ヒータによる熱の変動は数十ｍｓから数百ｍｓ後にならないと検出できない。
【００４２】
このような特性をもっているため、定着ヒータをつけるか消すかの判断はある時間間隔以上を開けないと温度制御のリップルが大きくなり好ましくない。ここでは定着ヒータ制御の間隔を１秒間として説明する。
【００４３】
ある時点において以降１秒間の定着ヒータの制御状態を決定する。その１秒間の間に検出温度がどのように変わっても決められた制御を行うこととする。ヒータの制御状態（１秒間のうちどのぐらいつけるのか？）を決めるパラメータは種種考えられる。例をあげると、
【００４４】
要素：前回制御時の中央検出温度、今の中央検出温度、中央制御温度、
前回制御時の端部検出温度、今の端部検出温度、端部制御温度、
【００４５】
パラメータ例：
（今の中央検出温度  −  前回の中央検出温度）
（中央制御温度      −    今の中央検出温度）
（今の端部検出温度  −  前回の端部検出温度）
（端部制御温度      −    今の端部検出温度）
【００４６】
などである。これらのパラメータ例のうち２種類を選びだし、図７に例として示してあるようなテーブルの縦軸、横軸を決めることとし、選ばれたテーブル上の交点の値を１秒間のうち定着ヒータをつける時間の割合とする（この割合のことをヒータ点灯デューティ（Ｄｕｔｙ）と呼ぶ）。ここでは１秒期間中の３０％をつける、となった場合は１秒のうち後半の０．３秒間をオンする期間とし、定着ヒータがオフからオンに切り替わる際は上述したソフトスタート制御を行うこととする。
【００４７】
この制御状態を表したのが、図６になる。ここでヒータオン時の斜めの線はソフトスタート制御を行っていることを表している。上述してきたように１本のヒータを制御するには最低１つのテーブルがあれば制御できるが、動作中や待機中などの機械状態によって制御を変えたい場合にはそれぞれのテーブルを別に用意し、機械状態によってテーブルを切り替えるだけで制御を変えることが可能である。
【００４８】
次にヒータが２本ある場合の制御を説明する。上述したテーブルによりヒータ点灯Ｄｕｔｙを決める方式を用いて２本のヒータを制御する方法もいろいろ存在するが、ここではテーブルの数をより少なくする方式のひとつについて説明する。
【００４９】
１回の制御に使うテーブルは２つとし、一つのテーブルからは２本のヒータのうちどちらをつけるのか、（もしくは両方つけるのか）を選択させる。点灯ヒータを決定するための点灯ヒータ選択用テーブルを図８に示しておく。
【００５０】
次に２つ目のテーブルからは上記と同じようにして点灯Ｄｕｔｙを選択させる。このとき、２つのテーブルで使用する縦軸、横軸を決めるためのパラメータは同じであってもいいし、全く違うパラメータを使用しても良い。
【００５１】
以下、本発明に対応する実施態様を説明する。
【００５２】
＜第１態様＞
図８、９、１０は第１態様の発明で使用する例としてあげた点灯ヒータ選択用テーブル、ヒータオン時の点灯Ｄｕｔｙ決定用テーブル、ヒータオフ時の点灯Ｄｕｔｙ決定用テーブルである。
【００５３】
定着制御は上述したように制御温度と検出温度により使用する定着ヒータとその点灯間隔をテーブル検索により決めているわけだが、定着ヒータのオフからオン、オンからオフへ変化する回数を少なくする、という目的を達成するために、定着ヒータの点灯間隔を決める際に使用するテーブルを第１態様の発明では２種類用意する。
【００５４】
２種類のテーブルは以下のようにして使い分けており、図１１にその使い分け処理を図示したフローチャートを示す。
【００５５】
ある時点の定着制御を行おうとする際に、まずその時点で定着ヒータがオンしているかどうかチェックする。
【００５６】
オンしていれば定着ヒータオン時に使用するテーブルを使用して点灯間隔を決定し、オフ時にはヒータオフ時に使用するテーブルを使用して点灯間隔を決定する。
【００５７】
ヒータオン時に使用するテーブルとヒータオフ時に使用するテーブルにはデータの持ち方を工夫してある。図９、１０はその一例であるが、必ずオフ時に使用するテーブルで定着ヒータオン（図でいう１００という数字の入っている条件）と判定する条件をオン時のテーブルのそれと比較して低い温度を検出したところに設定する。
【００５８】
こうすることにより、制御温度を変えることと同じ効果を得ることができ、定着ヒータのオンからオフ、オフからオンへと切り替える回数を減らすことができる。
【００５９】
この際、重要なのは定着制御温度を変えていないということであり、たとえば通紙終了後の経過時間などの条件により定着制御温度を変えたとしても本件の制御を変えることなく、ヒステリシスに対応した制御を行うことができる。
【００６０】
＜第２態様＞
第２態様の発明は、点灯するヒータの種類により上述したヒータオン時とオフ時で使用する点灯間隔を決めるテーブルを切り替えるかどうか選択するものである。ここでは、端部ヒータが選択されたときに上述の切替制御を行う場合を記述する。図１２はその切替制御のフローチャートである。
【００６１】
まず、制御温度とその時点の検出温度を取得し、図８より使用するヒータを選択する。テーブルにより端部ヒータが選択された場合には、第１態様に記載してあるような切替制御を行う。中央ヒータが選択された場合には通常どおりに一つのテーブルを選択して点灯間隔を決定するようにする。
【００６２】
＜第３態様＞
第３態様の発明を図１３のフローチャートを用いて説明する。上述してきたオン時とオフ時で点灯間隔を決めるテーブルを切り替えてオン／オフの切り替え回数を少なくする制御は、機械が特定の状態にあるときだけ行うような要求もある。例として印刷動作を行っている最中を挙げるが、このときは印刷に必要な熱量をを適宜供給しなればならないため、切替制御が使えない場合がある。
【００６３】
そこで、点灯間隔を決める際にそのときの機械状態を参照し、特定の状態であるならば（図１３の状態では待機状態）切替制御を行うようにして点灯間隔を長くし、規格規制や寿命に対応できるようにし、それ以外の機械状態では定着性（定着装置への熱量供給）を優先した制御を行うようにして必要な要求に対応することができる。
【００６４】
＜第４態様＞
上記により更にヒータのオン／オフの切り替え回数を減らすために第３態様に記載の機械状態によって使用するヒータを限定するようにしたのが第４態様の発明である。
【００６５】
例として、機械状態が“待機状態”のときに、“端部ヒータ”のみを制御し、オン時とオフ時で点灯間隔を決めるテーブルを切り替える制御を行う場合を挙げる。図１４にその切り替え制御を行うフローチャートを示す。
【００６６】
まず、他と同様に制御開始時に制御温度と検出温度を取得しておく。
【００６７】
次に、機械状態を参照し、待機状態以外なら通常の点灯ヒータ選択テーブルを用いてヒータを選択し、同様に点灯間隔を決定する。
【００６８】
待機状態の場合には、点灯ヒータは端部ヒータに固定する。
【００６９】
次に点灯間隔は上述の第１態様と同様に端部ヒータの点灯状態により使用するテーブルを切り替えて点灯間隔を決定する。
【００７０】
こうすることにより、待機状態のヒータ制御は端部に固定され、かつヒステリシスをもつ温度制御を行うことにより、オン／オフの切替回数をへらし、寿命を延ばすことができる。
【産業上の利用可能性】
【００７１】
本実施形態で説明した定着制御処理を行う複合機、プリンタ、ＦＡＸの製品化が望める。
【図面の簡単な説明】
【００７２】
【図１】本実施形態に係る画像形成装置の概略レイアウトである。
【図２】本実施形態に係る画像形成装置の制御に関する構成ブロック図である。
【図３】本実施形態に係る画像形成装置を搭載した複写機のレイアウトである。
【図４】定着ヒータ駆動に関わるユニットの構成ブロック図である。
【図５】ソフトスタート処理時の時間に関する電圧出力のグラフである。
【図６】ヒータ制御状態の１例である。
【図７】１本ヒータ制御用の点灯Ｄｕｔｙ決定用テーブルである。
【図８】２本ヒータ制御用の点灯Ｄｕｔｙ決定用テーブルである。
【図９】ヒータオン時の点灯Ｄｕｔｙ決定用テーブル
【図１０】ヒータオフ時の点灯Ｄｕｔｙ決定用テーブル
【図１１】第１態様の動作処理フローチャートである。
【図１２】第２態様の動作処理フローチャートである。
【図１３】第３態様の動作処理フローチャートである。
【図１４】第４態様の動作処理フローチャートである。
【図１】
2005055712.tif 000003
【図２】
2005055712.tif 000004
【図３】
2005055712.tif 000005
【図４】
2005055712.tif 000006
【図５】
2005055712.tif 000007
【図６】
2005055712.tif 000008
【図７】
2005055712.tif 000009
【図８】
2005055712.tif 000010
【図９】
2005055712.tif 000011
【図１０】
2005055712.tif 000012
【図１１】
2005055712.tif 000013
【図１２】
2005055712.tif 000014
【図１３】
2005055712.tif 000015
【図１４】
2005055712.tif 000016